(57)【要約】【課題】離れた場所でユーザが使用するデバイスの状態を適切に管理することが可能なデバイス管理装置を提供する。【解決手段】デバイス管理装置は、ユーザが使用するデバイスと通信し、そのデバイスについてのデバイス管理情報を受信する。そして、受信したデバイス管理情報に基づいて、各デバイスの状態を判定し、表示する。【選択図】図５
2017215736.tif 000002
【特許請求の範囲】
【請求項１】
ユーザが使用するデバイスとネットワークを通じて通信するデバイス管理装置であって、
前記デバイスから、当該デバイスについてのデバイス管理情報を受信する受信手段と、
受信したデバイス管理情報に基づいて、各デバイスの状態を判定する判定手段と、
を備えることを特徴とするデバイス管理装置。
【請求項２】
前記判定手段により判定された各デバイスの状態を表示する表示手段を備えることを特徴とする請求項１に記載のデバイス管理装置。
【請求項３】
前記デバイスはデジタルペンであり、
前記判定手段は、前記デジタルペンのインク残状態を判定することを特徴とする請求項１又は２に記載のデバイス管理装置。
【請求項４】
前記デバイス管理情報は、前記デジタルペンによる記述量を含み、
前記判定手段は、前記デジタルペンによる総記述量に基づいて、前記インク残状態を判定することを特徴とする請求項３に記載のデバイス管理装置。
【請求項５】
デジタルペンごとの総記述量と、所定の累積記述量とを記憶する記憶部を備え、
前記判定手段は、前記総記述量が前記所定の累積記述量より大きいときに、前記デジタルペンのインク残量が不足していると判定することを特徴とする請求項４に記載のデバイス管理装置。
【請求項６】
前記デバイスはデジタルペンであり、
前記判定手段は、前記デジタルペンが正しい接地状態で使用されているか否かを判定することを特徴とする請求項１乃至５のいずれか一項に記載のデバイス管理装置。
【請求項７】
前記デバイス管理情報は、前記デバイスのバッテリー残量を含み、
前記判定手段は、前記バッテリー残量が不足しているか否かを判定することを特徴とする請求項１乃至６のいずれか一項に記載のデバイス管理装置。
【請求項８】
前記デバイス管理情報は、前記デバイスにおいて動作するＯＳ又はアプリケーションのバージョンを含み、
前記判定手段は、前記バージョンが所定のバージョンよりも新しいか否かを判定することを特徴とする請求項１乃至７のいずれか一項に記載のデバイス管理装置。
【請求項９】
コンピュータを備え、ユーザが使用するデバイスとネットワークを通じて通信するデバイス管理装置によって実行されるプログラムであって、
前記デバイスから、当該デバイスについてのデバイス管理情報を受信する受信手段と、
受信したデバイス管理情報に基づいて、各デバイスの状態を判定する判定手段、
として前記コンピュータを機能させることを特徴とするプログラム。
【発明の詳細な説明】
【技術分野】
【０００１】
本発明は、遠隔授業を支援する技術に関する。
【背景技術】
【０００２】
学校と、学校から離れた場所にいる教師とをネットワークを通じて接続し、映像や音声を送信して授業を行う遠隔授業システムが知られている。そのような遠隔授業システムの一例が特許文献１に記載されている。
【先行技術文献】
【特許文献】
【０００３】
【特許文献１】特開２００５−３３８５１０号公報
【発明の概要】
【発明が解決しようとする課題】
【０００４】
特許文献１に記載されるような遠隔授業システムでは、学校側と教師側との間で映像や音声が送受信されて授業が行われる。また、最近の遠隔授業システムでは、生徒がデジタルペン、タブレットＰＣなどのデバイスを使用し、そのようなデバイスに対する生徒の入力情報を教師側に送信して、教師側で生徒の理解度を評価するようなことも行われている。よって、円滑な授業を行うためには、各生徒が授業中に使用するデバイスの状態を教師側で把握し、管理することが求められる。
【０００５】
本発明は、離れた場所でユーザが使用するデバイスの状態を適切に管理することが可能なデバイス管理装置を提供することを主な目的とする。
【課題を解決するための手段】
【０００６】
本発明の１つの観点では、ユーザが使用するデバイスとネットワークを通じて通信するデバイス管理装置は、前記デバイスから、当該デバイスについてのデバイス管理情報を受信する受信手段と、受信したデバイス管理情報に基づいて、各デバイスの状態を判定する判定手段と、を備える。
【０００７】
上記のデバイス管理装置は、ユーザが使用するデバイスと通信し、そのデバイスについてのデバイス管理情報を受信する。そして、受信したデバイス管理情報に基づいて、各デバイスの状態を判定する。これにより、離れた場所のユーザにより使用されるデバイスの状態を遠隔から管理することができる。
【０００８】
上記のデバイス管理装置の一態様は、前記判定手段により判定された各デバイスの状態を表示する表示手段を備える。この態様では、各デバイスの状態を一目で知ることができる。
【０００９】
上記のデバイス管理装置の他の一態様では、前記デバイスはデジタルペンであり、前記判定手段は、前記デジタルペンのインク残状態を判定する。この態様では、ユーザが使用するデジタルペンのインク残量が少ない場合には、その旨を警告することができる。この場合、好適には、前記デバイス管理情報は、前記デジタルペンによる記述量を含み、前記判定手段は、前記デジタルペンによる総記述量に基づいて、前記インク残状態を判定する。さらに好適な例では、デバイス管理装置は、デジタルペンごとの総記述量と、所定の累積記述量とを記憶する記憶部を備え、前記判定手段は、前記総記述量が前記所定の累積記述量より大きいときに、前記デジタルペンのインク残量が不足していると判定する。
【００１０】
上記のデバイス管理装置の他の一態様では、前記デバイスはデジタルペンであり、前記判定手段は、前記デジタルペンが正しい接地状態で使用されているか否かを判定する。この態様では、ユーザが正しくデジタルペンを使用しているか否かを確認することができる。
【００１１】
上記のデバイス管理装置の他の一態様では、前記デバイス管理情報は、前記デバイスのバッテリー残量を含み、前記判定手段は、前記バッテリー残量が不足しているか否かを判定する。この態様では、デバイスのバッテリー残量が不足しているか否かを確認することができる。
【００１２】
上記のデバイス管理装置の他の一態様では、前記デバイス管理情報は、前記デバイスにおいて動作するＯＳ又はアプリケーションのバージョンを含み、前記判定手段は、前記バージョンが所定のバージョンよりも新しいか否かを判定する。この態様では、デバイスにおいて動作するＯＳやアプリケーションが所定のバージョンに更新されているか否かを確認することができる。
【００１３】
本発明の他の観点では、コンピュータを備え、ユーザが使用するデバイスとネットワークを通じて通信するデバイス管理装置によって実行されるプログラムは、前記デバイスから、当該デバイスについてのデバイス管理情報を受信する受信手段、受信したデバイス管理情報に基づいて、各デバイスの状態を判定する判定手段、として前記コンピュータを機能させる。このプログラムをコンピュータで実行することにより、離れた場所のユーザにより使用されるデバイスの状態を遠隔から管理することができる。
【図面の簡単な説明】
【００１４】
【図１】実施形態に係る遠隔授業システムの構成を示す。
【図２】デバイス管理情報の例を示す。
【図３】デジタルペンのインク情報の例を示す。
【図４】教師側におけるデバイス状態の表示例を示す。
【図５】デバイス管理処理のフローチャートである。
【図６】変形例に係る遠隔授業システムの構成を示す。
【発明を実施するための形態】
【００１５】
以下、図面を参照しながら、本発明の実施の形態について説明する。
［構成］
図１は、本発明のデバイス管理装置を適用した遠隔授業システムの構成を示す。遠隔授業システム１００は、生徒側（学校）に設けられる利用デバイス１０及び接続デバイス１２と、管理サーバ２０と、教師側に設けられる教師用端末３０とをネットワーク５を介して通信可能に構成したものである。
【００１６】
生徒側には、各生徒が使用する利用デバイス１０と、接続デバイス１２とが設けられる。利用デバイス１０は、デジタルペン１０ａとタブレット１０ｂである。利用デバイス１０の他の例としては、ＰＣ、ヘッドマウントディスプレイなどが挙げられる。以下の説明では、「利用デバイス１０」と言った場合は、デジタルペン１０ａとタブレット１０ｂの両方を含むものとする。本実施形態では、各生徒は、デジタルペン１０ａとタブレット１０ｂの少なくとも一方を所持しているものとする。なお、図１では、便宜上、デジタルペン１０ａとタブレット１０ｂを１つずつしか図示していないが、実際には、生徒数に応じた数のデジタルペン１０ａ又はタブレット１０ｂが使用される。
【００１７】
接続デバイス１２は、利用デバイス１０から受信した情報を外部へ送信するための通信用端末である。接続デバイス１２は、例えば、ＰＣ、スマートフォンなどであり、利用デバイス１０からデバイス管理情報Ｄ１を受信する。利用デバイス１０と接続デバイス１２との間の通信は、無線であっても有線であってもよい。本実施形態では、デバイス管理情報Ｄ１は、デジタルペン１０ａ又はタブレット１０ｂを用いて生徒が入力した情報（以下、「入力情報」と呼ぶ。）に加えて、利用デバイス１０の管理情報を含む。接続デバイス１２は、受信したデバイス管理情報Ｄ１を、ネットワーク５を通じて管理サーバ２０へ送信する。また、接続デバイス１２は、接続デバイス１２自身の管理情報であるデバイス管理情報Ｄ２を生成し、ネットワーク５を通じて管理サーバ２０へ送信する。なお、ネットワーク５を通じた接続デバイス１２と管理サーバ２０との通信は有線であっても無線であってもよい。
【００１８】
管理サーバ２０は、接続デバイス１２からデバイス管理情報Ｄ１及びＤ２を受信する。管理サーバ２０は、デバイス管理データベース（以下、「デバイス管理ＤＢ」と記す。）２２を備える。デバイス管理ＤＢ２２は、生徒側の各利用デバイス１０の管理情報を記憶している。管理サーバ２０は、接続デバイス１２との通信が確立したときに、接続デバイス１２からデバイス管理情報Ｄ２を受信し、デバイス管理ＤＢ２２へ記憶する。また、管理サーバ２０は、生徒側で新たな利用デバイス１０の使用が開始されたときに、接続デバイス１２を通じてその利用デバイス１０のデバイス管理情報Ｄ１を受信し、デバイス管理ＤＢ２２へ記憶する。なお、管理サーバ２０は、各利用デバイス１０の使用中にその状態をチェックするために、定期的に各利用デバイス１０のデバイス管理情報Ｄ１を要求し、取得するようにしてもよい。
【００１９】
さらに、管理サーバ２０は、必要に応じてデバイス管理情報Ｄ１に含まれる情報についての判定を行い、判定結果をデバイス管理ＤＢ２２に記憶する。この判定は、デジタルペン１０ａのインク残状態の判定、利用デバイス１０のバッテリー残量の判定、利用デバイスのＯＳ及び／又はアプリケーションのバージョンの判定などを含む。こうして、デバイス管理ＤＢ２２には、生徒が使用する各利用デバイス１０の最新のデバイス管理情報が記憶された状態となっている。そして、管理サーバ２０は、デバイス管理ＤＢ２２に記憶されている情報の一部を、デバイス管理情報Ｄ３として教師用端末３０へ送信する。ネットワーク５を通じた管理サーバ２０と教師用端末３０との通信は有線であっても無線であってもよい。
【００２０】
教師側には、教師用端末３０が設けられる。教師用端末３０は、例えばデスクトップＰＣ、ラップトップＰＣ、タブレットＰＣなどである。なお、教師用端末３０がタブレットＰＣである場合には、生徒側に設けられる接続デバイス１２の如き通信用端末を教師側に設けてもよい。教師用端末３０は例えば液晶ディスプレイなどの表示部を備える。教師用端末３０は、管理サーバ２０から、生徒が使用している利用デバイス１０のデバイス管理情報Ｄ３を受信し、教師用端末３０の表示部に表示する。
【００２１】
上記の構成において、管理サーバ２０は本発明の受信手段及び判定手段の一例であり、教師用端末３０は本発明の表示手段の一例である。また、デバイス管理ＤＢ２２は本発明の記憶部の一例である。
【００２２】
［デバイス管理情報］
次に、デバイス管理情報について詳しく説明する。デバイス管理情報は、生徒が使用する利用デバイス１０と接続デバイス１２の管理情報である。具体的に、デバイス管理情報Ｄ１は、生徒が使用する利用デバイス１０の状態を示す情報であり、その利用デバイス１０により生成されて接続デバイス１２へ送信される。図２（Ａ）は、デバイス管理情報Ｄ１の例を示す。デバイス管理情報Ｄ１は、「デバイス名」、「デバイス型番」、「ＯＳ（Ｏｐｅｒａｔｉｏｎ  Ｓｙｓｔｅｍ）名」、「ＯＳバージョン」、「バッテリー情報」を含む。また、利用デバイス１０がデジタルペン１０ａである場合、デバイス管理情報Ｄ１はさらに「デジタルペン情報」を含む。
【００２３】
「デバイス名」は利用デバイス１０の名称であり、例えばデジタルペン、タブレットなどである。「デバイス型番」はその利用デバイス１０の型番である。「ＯＳ名」はそのデバイスが使用するＯＳの名称であり、「ＯＳバージョン」はそのＯＳのバージョンである。なお、ＯＳ以外に利用デバイス１０において実行されるアプリケーション（以下、「アプリ」と呼ぶ。）がある場合には、そのアプリについての「アプリ名」及び「アプリバージョン」をデバイス管理情報Ｄ１に含めてもよい。
【００２４】
「バッテリー情報」は、その利用デバイス１０に内蔵されているバッテリー（電池）の残量であり、通常は満充電を１００％とした割合（％）で示される。「デジタルペン情報」は、「接地フラグ」、「筆記座標」を含む。「接地フラグ」は、デジタルペンが正しく接地されているか否か、即ち、ペン先が用紙に接触し、ペン先に一定の圧力が加わっているか否かを示す情報である。基本的に、デジタルペン１０ａによる記入中には接地フラグがオンになり、記入中でないときには接地フラグはオフになる。「筆記座標」は、デジタルペン１０ａにより用紙に記入されたストロークの座標を示す。即ち、筆記座標は生徒が記入したストロークを示す情報であり、前述の入力情報に相当する。
【００２５】
接続デバイス１２は、利用デバイス１０からデバイス管理情報Ｄ１を受信して管理サーバ２０へ送信するとともに、自身でデバイス管理情報Ｄ２を生成し、管理サーバ２０へ送信する。デバイス管理情報Ｄ２は、接続デバイス１２に関する管理情報である。図２（Ｂ）は、デバイス管理情報Ｄ２の例を示す。デバイス管理情報Ｄ２は、「ログイン情報」、「ＯＳ情報」、「バッテリー情報」、「接続用アプリ名」、「接続用アプリバージョン」、「デバイスの電源オン／オフ」などを含む。「ログイン情報」は、利用デバイス１０を操作して遠隔授業システム１００にログインしている生徒の情報であり、ＩＤ、パスワードなどを含む。「ＯＳ情報」は、接続デバイス１２に搭載されているＯＳの名称、バージョンなどである。「バッテリー情報」は、接続デバイス１２のバッテリー残量である。「接続用アプリ名」は、接続デバイス１２が利用デバイス１０との間の通信のために使用する接続アプリの名称であり、「接続アプリバージョン」はその接続アプリのバージョンである。また、「利用デバイスの電源オン／オフ」は、接続デバイス１２に接続している利用デバイス１０の電源がオン状態であるかオフ状態であるかを示す情報である。
【００２６】
管理サーバ２０は、デバイス管理情報Ｄ１及びＤ２を受信し、デバイス管理ＤＢ２２に保存する。また、管理サーバ２０は、主として生徒が使用する利用デバイス１０に関連するデバイス管理情報Ｄ３を生成し、教師用端末３０へ送信する。図２（Ｃ）は、デバイス管理情報Ｄ３の例を示す。デバイス管理情報Ｄ３は、「ログイン情報」、「生徒情報」、「学校情報」、「デバイスの状態・警告情報」を含む。また、生徒が使用する利用デバイス１０がデジタルペン１０ａである場合、デバイス管理情報Ｄ３は、さらに「デジタルペンインク情報」と「デジタルペン使用状況」を含む。
【００２７】
「ログイン情報」は、遠隔授業システム１００にログインしている生徒のＩＤ、パスワードであり、デバイス管理情報Ｄ２に含まれているものである。「生徒情報」はログインしている生徒の年、組、出席番号、名前などである。「学校情報」は生徒の学校名である。管理サーバ２０には、生徒の情報を記憶する生徒ＤＢ（図示せず）が用意されており、管理サーバ２０は生徒のＩＤなどに基づいて生徒ＤＢを参照して生徒情報及び学校情報を生成する。
【００２８】
「デバイスの状態・警告情報」は、生徒が使用する利用デバイス１０のバッテリー残量、ＯＳバージョンなどに関する状態及び警告の情報である。具体的に、デバイスの状態・警告情報は、利用デバイス１０のバッテリー残量を含み、バッテリー残量が所定値未満である場合にはバッテリー残量不足であることを示す警告を含む。また、デバイスの状態・警告情報は、利用デバイス１０のＯＳバージョンを含み、ＯＳバージョンが所定のバージョンよりも古い場合には、ＯＳバージョンが古い旨の警告を含む。なお、「デバイスの状態・警告情報」には、利用デバイス１０に関する情報のみならず、接続デバイス１２に関する情報を含めてもよい。
【００２９】
「デジタルペンインク情報」は、総記述量とインク残状態とを含む。図３は、デバイス管理ＤＢ２２に記憶されるデジタルペン１０ａのインク情報の例を示す。図示のように、デバイス管理ＤＢ２２には、デジタルペン１０ａごとに、総記述量とインク残状態とを記憶している。
【００３０】
ここで、「総記述量」とは、インクカートリッジが装着されてから現在までのデジタルペン１０ａによる記述量の総和を示す。具体的には、管理サーバ２０は、デバイス管理情報Ｄ１に含まれるデジタルペン情報の筆記座標に基づいて、生徒がデジタルペン１０ａで記述したストロークの長さを算出し、記述量とする。そして、インクカートリッジを装着してから現在までの記述量の合計を総記述量とする。なお、上記の例では、生徒が記入したストロークの長さに基づいて記述量を算出しているが、その代わりに又はそれに加えて、生徒による記入時間を考慮して記述量を算出することとしてもよい。
【００３１】
「インク残状態」は、現在のインク残量が十分であるか（「○」）、インクカートリッジの交換時期が近付いている状態（「△」）であるか、直ちにインクカートリッジを交換すべき状態（「×」）であるかを示す情報である。実際には、デジタルペン１０ａの型番ごとに、対応するインクカートリッジの容量が決まっているので、デバイス管理ＤＢ２２内に、デジタルペン１０ａの型番ごとに、交換時期が近付いている状態及び直ちに交換が必要な状態に対応するインク残量（％）を記憶しておく。管理サーバ２０はその情報を参照して、デジタルペン１０ａごとにインク残状態を判定する。
【００３２】
図２（Ｃ）に戻り、「デジタルペン使用状況」は、デジタルペン１０ａが生徒により正しく使用されているか否かを示す情報である。デジタルペン１０ａは、ペン先の圧力を検出し、一定の圧力が検出されている場合に記入がなされていると判定する。この場合、デバイス管理情報Ｄ１に含まれる接地フラグがオンになる。但し、デジタルペン１０ａは手に持つ際の正しい向きが決められており、使用者が正しい向きで持っていない場合、例えば上下反対に持っている場合には、接地フラグがオンになっていても、デジタルペン１０ａは筆記座標を生成することができないので、管理サーバ２０には筆記座標が送信されてこない。このような場合、管理サーバ２０は、接地不良、即ち生徒がデジタルペン１０ａを正しい向きで持っていないと判定する。
【００３３】
以上のデバイス管理情報Ｄ３は、管理サーバ２０から教師用端末３０へ送信される。教師用端末３０は、受信したデバイス管理情報Ｄ３に基づいて、生徒が使用している利用デバイス１０の状態を表示部に表示する。図４は、教師用端末３０に表示されるデバイス状態一覧の例を示す。この例では、学校Ａと学校Ｂについて、それぞれの生徒が使用している利用デバイス１０の現在の状態が示されている。なお、学校Ａでは各生徒がデジタルペン１０ａを所持しており、学校Ｂでは各生徒がタブレット１０ｂを所持しているものとする。学校Ａについては、デバイスＩＤ毎に、利用デバイス１０であるデジタルペン１０ａのバッテリー（電池）残量と、インク残状態とが表示されている。また、デバイスＩＤ毎に、デジタルペン１０ａに搭載されているＯＳのバージョンが表示されている。学校Ｂについても、デバイスＩＤ毎に、利用デバイス１０であるタブレット１０ｂのバッテリー（電池）残量と、ＯＳのバージョンが表示されている。そして、バッテリー残量が不足している場合、インク残状態が「×」（直ちにカートリッジ交換要）の場合、ＯＳのバージョンが所定のバージョンより古い場合には、その旨を示す警告表示（図４では下線で示す）がなされている。
【００３４】
このように、本実施形態では、生徒側で使用されている利用デバイス１０の状態を教師用端末３０で見ることができるので、遠隔授業を行う際に不具合のある利用デバイス１０を容易に発見することができる。よって、必要に応じて、問題のある利用デバイス１０について学校側に注意や対応を促すことができる。
【００３５】
［デバイス管理処理］
次に、本実施形態によるデバイス管理処理について説明する。図５は、デバイス管理処理のフローチャートである。まず、生徒側の利用デバイス１０は、生徒の操作により電源がオンされたか否かを判定する（ステップＳ１１）。電源がオンされた場合（ステップＳ１１：Ｙｅｓ）、利用デバイス１０は、接続デバイス１２に接続要求を送信する（ステップＳ１２）。
【００３６】
接続デバイス１２は、接続要求を受信すると、要求元の利用デバイス１０との接続を確立し（ステップＳ１３）、利用デバイス１０にデバイス管理情報を要求する（ステップＳ１４）。これに対し、利用デバイス１０は、デバイス管理情報Ｄ１を生成し（ステップＳ１５）、接続デバイス１２へ送信する（ステップＳ１６）。接続デバイス１２は、利用デバイス１０からデバイス管理情報Ｄ１を受信するとともに、デバイス管理情報Ｄ２を生成し（ステップＳ１７）、デバイス管理情報Ｄ１、Ｄ２を管理サーバ２０へ送信する（ステップＳ１８）。
【００３７】
管理サーバ２０は、デバイス管理情報Ｄ１、Ｄ２を受信すると、利用デバイス１０の状態を判定する（ステップＳ１９）。具体的には、管理サーバ２０は、利用デバイス１０のバッテリー残量、ＯＳやアプリのバージョンなどを判定する。また、利用デバイス１０がデジタルペン１０ａである場合、管理サーバ２０は、前述したように総記述量を算出し、インク残状態を判定する。そして、管理サーバ２０は、デバイス管理情報Ｄ１、Ｄ２に含まれる情報と上記の判定結果とをデバイス管理ＤＢ２２に記憶する（ステップＳ２０）。また、管理サーバ２０は、デバイス管理情報Ｄ３を生成し（ステップＳ２１）、教師用端末３０へ送信する（ステップＳ２２）。
【００３８】
教師用端末３０は、デバイス管理情報Ｄ３を受信し、例えば図４に例示したようにデバイス状態を表示する（ステップＳ２３）。こうして、教師は、教師用端末３０において、生徒側の各利用デバイス１０の状態を一目で確認することができる。
【００３９】
［変形例］
上記の実施形態では、管理サーバ２０と教師用端末３０とを独立して設けているが、その代わりに管理サーバ２０の機能を教師用端末３０に含めても良い。図６は、この場合の遠隔授業システム１００ｘの構成例を示す。図示のように、生徒側の構成は図１と同様であるが、接続デバイス１２はネットワーク５を通じて教師用端末３０へ直接デバイス管理情報Ｄ１、Ｄ２を送信する。教師用端末３０にはデバイス管理ＤＢ３２が接続されており、教師用端末３０は管理サーバ２０が行っていた必要な判定処理（図５のステップＳ１９に対応）、デバイス管理情報Ｄ３を生成する処理（図５のステップＳ２０に対応）などを実行する。この場合、教師端末３０は本発明の受信手段、判定手段及び表示手段の一例であり、デバイス管理ＤＢ３２は本発明の記憶部の一例である。
【符号の説明】
【００４０】
５  ネットワーク
１０  利用デバイス
１１ａ  デジタルペン
１１ｂ  タブレット
１２  接続デバイス
２０  管理サーバ
３０  教師用端末
１００、１００ｘ  遠隔授業システム
【図１】
2017215736.tif 000003
【図２】
2017215736.tif 000004
【図３】
2017215736.tif 000005
【図４】
2017215736.tif 000006
【図５】
2017215736.tif 000007
【図６】
2017215736.tif 000008